(57)【要約】【課題】従来の情報配信装置は、個人のプロファイル情報に基づいて、情報を配信するので、多人数の個人に適した情報を配信しようとした場合に、多人数分の個人プロファイル情報を蓄積するための膨大な記憶容量が必要になる、という課題があった。【解決手段】本発明は、２人以上のメンバーを有するグループの嗜好を示す情報であるグループプロファイル情報とグループに属する各メンバーへの情報の通知先を示す２以上の通知先情報を対応づけたグループ情報を１以上保持し、情報を送信すべきグループをグループプロファイル情報に基づいて決定し、当該決定されたグループに属する各メンバーの通知先に、情報受付部が受け付けた情報を送信する情報配信装置であり、かかる情報配信装置により、少ない記憶容量で、多人数に、適切な情報を配信することができる。【選択図】図１
2005078411.tif 000002
【特許請求の範囲】
【請求項１】
２人以上のメンバーを有するグループの嗜好を示す情報であるグループプロファイル情報と前記グループに属する各メンバーへの情報の通知先を示す２以上の通知先情報を対応づけたグループ情報を１以上保持しているグループ情報保持部と、
情報を受け付ける情報受付部と、
前記情報を送信すべきグループを、前記グループプロファイル情報に基づいて決定するグループ決定部と、
前記グループ決定部で決定されたグループに属する各メンバーの通知先である２以上の通知先情報を取得する通知先情報取得部と、
前記通知先情報取得部が取得した２以上の通知先情報が示す通知先に、前記情報受付部が受け付けた情報を送信する情報送信部を具備する情報配信装置。
【請求項２】
個人の嗜好を示す情報であるパーソナルプロファイル情報と当該個人の通知先情報を有する個人情報を２以上保持している個人情報保持部と、
前記２以上の個人情報から１以上のグループ情報を構成するグループ情報構成部をさらに具備し、
前記グループ情報保持部のグループ情報は、前記グループ情報構成部が構成したグループ情報である請求項１記載の情報配信装置。
【請求項３】
個人情報を受信する個人情報受信部と、
前記個人情報を前記個人情報保持部に蓄積する個人情報蓄積部をさらに具備する請求項２記載の情報配信装置。
【請求項４】
コンピュータに、
情報を受け付ける情報受付ステップと、
情報を送信すべきグループを格納しているグループプロファイル情報に基づいて決定するグループ決定ステップと、
前記グループ決定ステップで決定されたグループに属する各メンバーの通知先である２以上の通知先情報を取得する通知先情報取得ステップと、
前記通知先情報取得ステップで取得した２以上の通知先情報が示す通知先に、情報受付ステップが受け付けた情報を送信する情報送信ステップを実行させるためのプログラム。
【請求項５】
保持している２以上の個人情報から１以上のグループ情報を構成するグループ情報構成ステップと、
前記グループ情報を蓄積するステップをさらに実行させるための請求項４記載のプログラム。
【請求項６】
グループプロファイル情報に基づいて情報を配信する１以上の配信先を決定し、当該１以上の配信先に情報を配信する情報配信方法。
【発明の詳細な説明】
【技術分野】
【０００１】
本発明は、グループプロファイル情報に基づいて情報を送信する情報配信装置等に関するものである。
【背景技術】
【０００２】
従来技術における情報配信装置は、使用者が提示された情報に対し自分の興味の有無（教師信号）を入力する入力手段と、前記教師信号を用いて使用者の個人の興味を反映した個人プロファイルを作成する学習ユニットと、前記個人プロファイルを用いて使用者ごとに必要性信号を計算する情報評価ユニットとを有する情報フィルタユニットを含んだ情報配信装置であって、配信内容を反映したプローブ信号と前記個人プロファイルから計算されるプローブ応答信号が大きな値を取る前記個人プロファイルの所有者へ情報を配信する情報配信部を有する構成とすることで、質の高い情報の配信およびやり取りができるようになる情報配信装置である（特許文献１参照）。
【特許文献１】特開２０００−３３１０１３号公報（第１頁、第１図等）
【発明の開示】
【発明が解決しようとする課題】
【０００３】
しかしながら、従来の情報配信装置は、個人のプロファイル情報に基づいて、情報を配信するので、多人数の個人に適した情報を配信しようとした場合に、多人数分の個人プロファイル情報を蓄積するための膨大な記憶容量が必要になる、という課題があった。また、各個人に特定の情報を配信するか否かを判断する場合に、当該情報を多人数分の個人プロファイル情報に突き合わせて配信するか否かを判断しなければならない。かかる判断処理は、個人プロファイルの数だけ行われることになる。したがって、対象となるユーザが多い（多数の個人プロファイル情報がある）場合、一の情報を配信するために膨大な時間、膨大な処理が必要となる、という課題があった。
【０００４】
本発明は、従来の課題を解決するためになされたもので、少ない記憶容量で、多人数に、適切な情報を配信することを目的とする。
【課題を解決するための手段】
【０００５】
第一の発明は、２人以上のメンバーを有するグループの嗜好を示す情報であるグループプロファイル情報とグループに属する各メンバーへの情報の通知先を示す２以上の通知先情報を対応づけたグループ情報を１以上保持しているグループ情報保持部と、情報を受け付ける情報受付部と、情報を送信すべきグループをグループプロファイル情報に基づいて決定するグループ決定部と、グループ決定部で決定されたグループに属する各メンバーの通知先である２以上の通知先情報を取得する通知先情報取得部と、通知先情報取得部が取得した２以上の通知先情報が示す通知先に、情報受付部が受け付けた情報を送信する情報送信部を具備する情報配信装置である。
【０００６】
この構成により、少ない記憶容量で、多人数に、適切な情報（各人の嗜好に合致した情報）を配信することができる。また、各個人のプロファイル情報を保持している場合と比較して、情報配信処理を高速に行うことができる。
【０００７】
第二の発明は、第一の発明に対して、個人の嗜好を示す情報であるパーソナルプロファイル情報と当該個人の通知先情報を有する個人情報を２以上保持している個人情報保持部と、２以上の個人情報から１以上のグループ情報を構成するグループ情報構成部をさらに具備し、グループ情報保持部のグループ情報は、前記グループ情報構成部が構成したグループ情報である情報配信装置である。
【０００８】
この構成により、上述の効果に加えて、グループプロファイルの構築が極めて容易にな
る。
【０００９】
第三の発明は、第二の発明に対して、個人情報を受信する個人情報受信部と、個人情報を個人情報保持部に蓄積する個人情報蓄積部をさらに具備する情報配信装置である。
【００１０】
この構成により、さらに、ダイナミックにグループ情報を更新でき、個人の嗜好の変遷に対応した、精度の高い適切な情報配信が可能である。
【発明の効果】
【００１１】
本発明は、グループプロファイル情報に基づいて情報配信を行なえる情報配信装置により、少ない記憶容量で、多人数に、適切な情報を配信することができるものである。
【発明を実施するための最良の形態】
【００１２】
以下、情報配信システム等の実施形態について図面を参照して説明する。なお、実施の形態において同じ符号を付した構成要素は同様の動作を行うので、再度の説明を省略する場合がある。
【００１３】
（実施の形態１）
図１は、本情報配信システムの構成を示すブロック図である。本情報配信システムは、情報入力装置１、情報配信装置２、情報受信装置３を具備する。情報入力装置１は、情報入力受付部１１、ユーザ側情報送信部１２を具備する。情報配信装置２は、グループ情報保持部２０１、情報受付部２０２、グループ決定部２０３、通知先情報取得部２０４、情報送信部２０５を具備する。情報受信装置３は、情報受信部３０１、情報出力部３０２を具備する。
【００１４】
情報入力受付部１１は、配信（送信）する情報および配信命令を受け付ける。入力手段は、テンキーやキーボードやマウスやメニュー画面によるもの等、何でも良い。情報入力受付部１１は、テンキーやキーボード等の入力手段のデバイスドライバーや、メニュー画面の制御ソフトウェア等で実現され得る。
【００１５】
ユーザ側情報送信部１２は、情報入力受付部１１が配信命令を受け付けた場合、受け付けた情報を情報配信装置２に送信する。ユーザ側情報送信部１２は、情報配信装置２に情報を送信するための送信先情報（情報配信装置２のＩＰアドレスやメールアドレスなど）を保持している。ユーザ側情報送信部１２は、通常、無線または有線の通信手段で実現されるが、放送手段で実現されても良い。
【００１６】
グループ情報保持部２０１は、２人以上のメンバーを有するグループの嗜好を示す情報であるグループプロファイル情報とグループに属する各メンバーへの情報の通知先を示す１以上の通知先情報を対応づけたグループ情報を１以上保持している。グループプロファイル情報のデータ構造は問わない。グループプロファイル情報の具体例は後述する。通知先情報は、メールアドレスが好適であるが、装置のＩＰアドレス等、情報を送信するための情報であれば良い。グループ情報保持部２０１は、不揮発性の記録媒体が好適であるが、揮発性の記録媒体でも実現可能である。
【００１７】
情報受付部２０２は、情報を受け付ける。情報受付部２０２は、通常、無線または有線の通信手段等で実現され得る。ただし、情報受付部２０２は、情報配信装置２が有する入力手段からの入力（情報）を受け付けるものであっても良い。かかる場合、情報配信システムにおいて、情報入力装置１は存在しない。
【００１８】
グループ決定部２０３は、情報受付部２０２が受け付けた情報について、送信すべきグループをグループプロファイル情報に基づいて決定する。かかる決定のアルゴリズムは種々ある。アルゴリズムの具体例は後述する。グループ決定部２０３は、通常、ＭＰＵやメモリ等から実現され得る。グループ決定部２０３の決定のための処理手順は、通常、ソフトウェアで実現され、当該ソフトウェアはＲＯＭ等の記録媒体に記録されている。但し、
ハードウェア（専用回路）で実現しても良い。
【００１９】
通知先情報取得部２０４は、グループ決定部２０３で決定されたグループに属する各メンバーの通知先である２以上の通知先情報を、グループ情報保持部２０１から取得する。通知先情報取得部２０４は、通常、ＭＰＵやメモリ等から実現され得る。通知先情報取得部２０４が通知先情報を取得するための処理手順は、通常、ソフトウェアで実現され、当該ソフトウェアはＲＯＭ等の記録媒体に記録されている。但し、ハードウェア（専用回路）で実現しても良い。
【００２０】
情報送信部２０５は、通知先情報取得部２０４が取得した２以上の通知先情報が示す通知先に、情報受付部２０２が受け付けた情報を送信する。情報送信部２０５は、無線または有線の通信手段等で実現され得る。
【００２１】
情報受信部３０１は、情報配信装置２が送信した情報を受信する。情報受信部３０１は、無線または有線の通信手段等で実現され得る。
【００２２】
情報出力部３０２は、情報受信部３０１が受信した情報を出力する。出力とは、ディスプレイへの表示、プリンタへの印字、音出力、外部の装置への送信等を含む概念である。情報出力部３０２は、ディスプレイやスピーカー等の出力デバイスを含むと考えても含まないと考えても良い。情報出力部３０２は、出力デバイスのドライバーソフトまたは、出力デバイスのドライバーソフトと出力デバイス等で実現され得る。
【００２３】
以下、本情報配信システムの動作について説明する。まず、情報入力装置１の動作について説明する。情報入力装置１は、情報を配信したいユーザからの情報の入力を受け付け、当該情報を情報配信装置２に送信する。なお、情報入力装置１は、ユーザからの入力を受け付けることなく（ユーザからの指示をトリガーとせずに）、予め格納されている１以上の情報を、例えば、設定された時刻に自動的に情報配信装置２に送信しても良い。また、情報入力装置１は、テレビ番組の情報（ＥＰＧなど）を配信するためのサーバ装置でも良い。ここで、情報とは、広告情報や、新聞記事の情報や、いわゆるメールマガジンや、行政から国民に送付する案内情報や、サークルの案内情報など何でも良い。
【００２４】
次に、情報配信装置２の動作について図２のフローチャートを用いて説明する。
【００２５】
（ステップＳ２０１）情報受付部２０２が、情報入力装置１から情報を受信したか否かを判断する。情報を受信すればステップＳ２０２に行き、情報を受信しなければステップＳ２０１に戻る。
【００２６】
（ステップＳ２０２）グループ決定部２０３は、ステップＳ２０１で受信した情報を解析する。情報の解析は、通常、情報がグループプロファイル情報に対して、どれぐらいの合致度があるか否かを判断するために行う。情報の解析方法は問わない。情報の解析方法の具体例は後述する。
【００２７】
（ステップＳ２０３）カウンタｉに１を代入する。
【００２８】
（ステップＳ２０４）グループ決定部２０３は、ｉ番目のグループプロファイル情報をグループ情報保持部２０１から取得する。
【００２９】
（ステップＳ２０５）グループ決定部２０３は、ｉ番目のグループプロファイル情報が存在するか否かを判断する。ｉ番目のグループプロファイル情報が存在すればステップＳ２０６に行き、ｉ番目のグループプロファイル情報が存在しなければステップＳ２１１に飛ぶ。
【００３０】
（ステップＳ２０６）グループ決定部２０３は、ステップＳ２０２における解析結果と、ｉ番目のグループプロファイル情報を突き合わせる。この突き合せは、通常、情報がグループプロファイル情報に対して、どれぐらいの合致度があるか否かを判断するために行う。
【００３１】
（ステップＳ２０７）グループ決定部２０３は、ステップＳ２０６における突き合せ結
果が、予め保持している条件に合致するか否かを判断する。条件に合致すればステップＳ２０８に行き、条件に合致しなければステップＳ２１０に飛ぶ。
【００３２】
（ステップＳ２０８）通知先情報取得部２０４は、ｉ番目のグループプロファイル情報と対になる１以上の通知先情報を、グループ情報保持部２０１から取得する。
【００３３】
（ステップＳ２０９）通知先情報取得部２０４は、ステップＳ２０８で取得した１以上の通知先情報を、予め決まられた領域（メモリ）に追記する。なお、この領域は、最初は、ＮＵＬＬである。
【００３４】
（ステップＳ２１０）カウンタｉをインクリメントする。ステップＳ２０４に戻る。
【００３５】
（ステップＳ２１１）カウンタｉに１を代入する。
【００３６】
（ステップＳ２１２）情報送信部２０５は、予め決まられた領域から、ｉ番目の通知先情報を取得する。
【００３７】
（ステップＳ２１３）情報送信部２０５は、ｉ番目の通知先情報が存在するか否かを判断する。ｉ番目の通知先情報が存在すればステップＳ２１４に行き、ｉ番目の通知先情報が存在しなければ処理を終了する。
【００３８】
（ステップＳ２１４）情報送信部２０５は、ｉ番目の通知先情報が示す送信先に、ステップＳ２０１で受信した情報を送信する。
【００３９】
（ステップＳ２１５）カウンタｉをインクリメントする。ステップＳ２１２に戻る。
【００４０】
次に、情報受信装置３の動作について説明する。情報受信装置３は、情報配信装置２から情報を受信し、出力する。情報の出力は、情報を受信するとただちに行っても良いし、ユーザからの指示に基づいて行っても良い。また、情報配信装置２に送信すべき情報を蓄積しておき、情報受信装置３からの要求によって情報を送信してもよいし、情報配信装置２は設定された時間に自動的に送信してもよいし、ユーザまたは配信者が設定する数だけ情報が蓄積されてから送信してもよい。
【００４１】
以下、本実施の形態における情報配信システムの具体的な動作について説明する。情報配信システムの概念図は図３である。情報配信システムは、１以上の情報入力装置（３１１、３１２、・・・３１ｎ）、情報配信装置３２１、１以上の情報受信装置（３３１、３３２、３３３、・・・３３ｍ）を具備する。情報入力装置は、情報配信側の装置である。情報入力装置は、例えば、新聞社が新聞記事の情報を配信するためのサーバ装置や、広告会社が広告情報を配信するためのサーバ装置等である。情報受信装置は、情報受信側の装置である。情報受信装置は、例えば、いわゆるパーソナルコンピュータや、テレビ（例えばＥＰＧを受信する）や、携帯端末や、携帯電話機等である。
【００４２】
図４は、情報配信装置３２１が保持しているグループプロファイル情報の例である。ここでは、グループプロファイル情報は、Ｎ個存在する。「Ｇ１」「Ｇ２」「ＧＮ」は、グループを識別する情報であるグループ識別子である。グループプロファイル情報は、グループ識別子と対に管理されている。グループプロファイル情報は、「キーワード」「選択」「不選択」を有するレコードを１以上、有する。図４において、グループ「Ｇ１」のメンバーは、「サッカー」というキーワードが含まれる情報を、２１０回選択し、３回不選択であった
ことを示す。したがって、グループ「Ｇ１」のメンバーは、サッカーに対して非常に興味を持っているグループであることが分かる。同様に、グループ「Ｇ２」のメンバーは、「阪神」というキーワードが含まれる情報を、１７０回選択し、不選択は０回であったことを示す。したがって、グループ「Ｇ２」のメンバーは、阪神に対して非常に興味を持っているグループであることが分かる（阪神ファンのグループであると予測できる）。
【００４３】
図５は、グループに属するメンバーの連絡先（通知先情報）を管理している通知先情報管理表である。通知先情報管理表は、「グループ識別子」「通知先情報」を対で有する。グループ「Ｇ１」のメンバーの通知先情報は、「ａｂｃ＠ｘｘｙ．ｃｏ．ｊｐ」「ａａｙ
＠ｃｃｍ．ｎｅ．ｊｐ」等である。なお、図４と図５の情報が上述したグループ情報の例である。
【００４４】
かかる場合に、新聞社の情報入力装置から、図６に示す情報１が入力され、送信指示された、とする。かかる場合、当該情報入力装置は、情報１を情報配信装置３２１に送信する。次に、情報配信装置３２１は、情報１を受信する。次に、情報配信装置３２１は、情報１を解析する。ここでの解析は、例えば、２回以上出現する名詞（キーワード）を抽出することである、とする。そして、情報１には、「サッカー」「日本代表」「フランス」が抽出された、とする。
【００４５】
次に、情報配信装置３２１は、グループ「Ｇ１」のグループプロファイル情報を読み出す。次に、情報配信装置３２１は、グループ「Ｇ１」のグループプロファイル情報と上記の解析結果を突き合わせる。ここで、情報配信装置３２１は、例えば、グループプロファイル情報において、解析により抽出したキーワードの選択割合が８割を超えている場合（図４の表の「「選択」／（「選択」＋「不選択」）>０．８」）であれば、条件に合致する、と判断する。そして、情報配信装置３２１は、グループ「Ｇ１」のグループプロファイル情報において、解析により抽出したキーワード「サッカー」の選択割合が「２１０／（２１０＋３）」で、８割を超えているので、グループ「Ｇ１」は条件に合致する、と判断する。次に、情報配信装置３２１は、グループ「Ｇ１」に属するメンバーの通知先情報（「ａｂｃ＠ｘｘｙ．ｃｏ．ｊｐ」「ａａｙ＠ｃｃｍ．ｎｅ．ｊｐ」等）をすべて取得し、一時的に格納する。
【００４６】
また、グループプロファイル情報に存在するキーワードが複数ある場合において、解析により抽出したキーワードの選択割合の平均が８割を超えている場合であれば、条件に合致する、と判断しても良い。その他、情報配信装置３２１が、グループプロファイル情報に基づいて、条件の合致／不合致を判断するアルゴリズムは問わない。
【００４７】
次に、情報配信装置３２１は、グループ「Ｇ２」のグループプロファイル情報を読み出す。情報配信装置３２１は、グループ「Ｇ２」のグループプロファイル情報と上記の解析結果を突き合わせる。そして、情報配信装置３２１は、グループ「Ｇ２」のグループプロファイル情報において、解析により抽出したキーワード「サッカー」等の選択割合が、８割を超えていないと判断する。その結果、情報配信装置３２１は、グループ「Ｇ２」は条件に合致しない、と判断する。そして、情報配信装置３２１は、以上の処理をグループ「ＧＮ」まで繰り返す（すべてのグループプロファイル情報に対して処理を行う）。
【００４８】
そして、情報配信装置３２１は、一時格納した、すべての通知先情報が示す送信先（情報受信装置）に情報１を送信する。次に、特定の情報受信装置は、情報１を受信し、出力する（図７参照）。
【００４９】
次に、同様に、新聞会社の情報入力装置から、図８に示す情報２が入力され、送信指示された、とする。かかる場合、上記と同様に、情報配信装置３２１は、情報２を受信し、解析処理を行う。その結果、情報配信装置３２１は、キーワード「阪神」「ホームラン」等を抽出した、とする。そして、情報配信装置３２１は、全グループプロファイル情報と、解析結果を突き合わせ、グループ「Ｇ２」等が条件に合致する、と判断する。そして、情報配信装置３２１は、グループ「Ｇ２」等のメンバーの通知先情報「ｘｙｚ＠ａｂｃ．ｃｏ．ｊｐ」等を取得する。そして、情報配信装置３２１は、グループ「Ｇ２」等のメンバーに情報２を送信する。
【００５０】
次に、広告会社の情報入力装置から、図９に示す情報３（ＰＣの広告情報）が入力され、送信指示された、とする。かかる場合、上記と同様に、情報配信装置３２１は、情報３を受信し、解析処理を行う。その結果、情報配信装置３２１は、キーワード「ＰＣ」等を
抽出した、とする。そして、情報配信装置３２１は、全グループプロファイル情報と、解析結果を突き合わせ、その結果条件に合致するグループはない、と判断した、とする。かかる場合、情報配信装置３２１は、情報受信装置に情報３を送信しない。なお、かかる場合、情報配信装置３２１は、広告会社の情報入力装置に、「情報３について、送信すべき送信先がなかった」旨のメッセージを送信しても良い。
【００５１】
以上、本実施の形態によれば、情報配信装置において、少ない記憶容量で、多人数に、適切な情報を配信することができる。また、各個人のプロファイル情報を保持している場合と比較して、情報配信処理を高速に行うことができる。さらに、ユーザは複数の情報入力装置（例えば、プロバイダー）に自分のメールアドレスなどの個人情報を教えることなく情報の提供を受けることができるため、個人情報の機密保持が担保されやすくなる。また、ユーザは、複数の情報入力装置（例えば、プロバイダー）に自分のメールアドレスを登録する手間を省くことができる。
【００５２】
なお、本実施の形態において、グループプロファイル情報の内容やデータ構造は問わない。かかることは、他の実施の形態においても同様である。
【００５３】
また、本実施の形態における情報配信システムにおいて、情報入力装置は必須ではない。つまり、情報配信装置が送信する情報の入力を受け付け、または、情報配信装置が予め情報を保持しており、当該情報をグループプロファイル情報に基づいて、情報受信装置に送信しても良い。つまり、グループプロファイル情報に基づいて情報を配信する１以上の配信先を決定し、当該１以上の配信先に情報を配信する情報配信方法を実現できれば良い。かかることは、他の実施の形態においても同様である。
【００５４】
また、本実施の形態における情報配信装置において、グループプロファイル情報は、２以上の個人の嗜好を示す情報であるパーソナルプロファイル情報から自動的に構成されても良い。２以上のパーソナルプロファイル情報からグループプロファイル情報を構成する方法については、実施の形態２で述べる。
【００５５】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報配信装置を実現するソフトウェアは、以下のようなプログラムである。つまり、このプログラムは、コンピュータに、情報を受け付ける情報受付ステップと、情報を送信すべきグループを格納しているグループプロファイル情報に基づいて決定するグループ決定ステップと、グループ決定ステップで決定されたグループに属する各メンバーの通知先である２以上の通知先情報を取得する通知先情報取得ステップと、通知先情報取得ステップで取得した２以上の通知先情報が示す通知先に、情報受付ステップが受け付けた情報を送信する情報送信ステップを実行させるためのプログラムである。
【００５６】
（実施の形態２）
図１０は、本情報配信システムの構成を示すブロック図である。本情報配信システムは、情報入力装置１、情報配信装置１０２、情報受信装置１０３を具備する。情報配信装置１０２は、個人情報受信部１０２０１、個人情報蓄積部１０２０２、個人情報保持部１０２０３、グループ情報構成部１０２０４、グループ情報蓄積部１０２０５、グループ情報保持部２０１、情報受付部２０２、グループ決定部２０３、通知先情報取得部２０４、情報送信部２０５を具備する。情報受信装置１０３は、情報受信部３０１、情報出力部３０２、個人情報管理部１０３０１、個人情報送信部１０３０２を具備する。
【００５７】
個人情報受信部１０２０１は、個人情報を受信する。個人情報は、個人の嗜好を示す情報であるパーソナルプロファイル情報と当該個人の通知先情報を有する。個人情報のデー
タ構造等は問わない。パーソナルプロファイル情報のデータ構造等も問わない。個人情報は、例えば、情報受信装置３から受信する。個人情報受信部１０２０１は、無線または有線の通信手段等で実現され得る。
【００５８】
個人情報蓄積部１０２０２は、個人情報受信部１０２０１が受信した個人情報を、個人情報保持部１０２０３に蓄積する。個人情報蓄積部１０２０２は、通常、ＭＰＵやメモリ等から実現され得る。個人情報蓄積部１０２０２が個人情報を蓄積するための処理手順は、通常、ソフトウェアで実現され、当該ソフトウェアはＲＯＭ等の記録媒体に記録されている。但し、ハードウェア（専用回路）で実現しても良い。
【００５９】
個人情報保持部１０２０３は、個人情報を２以上保持している。また、グループ情報が構成された後は、個人情報は削除されても良い。特に、個人情報受信部１０２０１が、定期的に、すべての情報受信装置１０３から個人情報を受信する場合には、個人情報は削除される方が好適である。情報配信装置１０２の記憶容量が少なくて良いからである。個人情報保持部１０２０３は、不揮発性の記録媒体が好適であるが、揮発性の記録媒体でも実現可能である。
【００６０】
グループ情報構成部１０２０４は、２以上の個人情報から１以上のグループ情報を構成する。グループ情報構成部１０２０４がグループ情報を構成するアルゴリズムの例は、後述する。グループ情報構成部１０２０４は、通常、ＭＰＵやメモリ等から実現され得る。グループ情報構成部１０２０４がグループ情報を構成するための処理手順は、通常、ソフトウェアで実現され、当該ソフトウェアはＲＯＭ等の記録媒体に記録されている。但し、ハードウェア（専用回路）で実現しても良い。
【００６１】
グループ情報蓄積部１０２０５は、グループ情報構成部１０２０４が構成したグループ情報を、グループ情報保持部２０１に蓄積する。グループ情報蓄積部１０２０５は、通常、ＭＰＵやメモリ等から実現され得る。グループ情報蓄積部１０２０５の蓄積処理の処理手順は、通常、ソフトウェアで実現され、当該ソフトウェアはＲＯＭ等の記録媒体に記録されている。但し、ハードウェア（専用回路）で実現しても良い。
【００６２】
個人情報管理部１０３０１は、個人情報を管理している。個人情報は、通常、情報受信装置１０３のユーザの個人情報である。個人情報は、個人の嗜好を示す情報であるパーソナルプロファイル情報と当該個人の通知先情報を有する。個人情報のデータ構造は問わない。情報受信装置１０３のユーザが情報を選択して表示等する場合に、個人情報は変更される。個人情報管理部１０３０１は、不揮発性の記録媒体が好適であるが、揮発性の記録媒体でも実現可能である。
【００６３】
個人情報送信部１０３０２は、個人情報管理部１０３０１の個人情報を情報配信装置１０２に送信する。個人情報送信部１０３０２は、通常、情報配信装置１０２に情報を送信するための情報を予め保持している。個人情報送信部１０３０２が個人情報を送信するタイミングは、問わない。個人情報の変更があった場合に、個人情報送信部１０３０２は個人情報を送信しても良いし、定期的に、個人情報送信部１０３０２は個人情報を送信しても良い。個人情報送信部１０３０２は、無線または有線の通信手段等で実現され得る。
【００６４】
以下、本情報配信装置１０２の動作について説明する。ここでは、情報配信装置１０２が個人情報を受信し、また、個人情報からグループ情報を構成し、蓄積する動作について、図１１のフローチャートを用いて説明する。なお、グループ情報を構成した後の、情報入力装置１から情報を受信し、情報受信装置３に情報を配信する処理は、実施の形態１で述べたので、ここでの説明は省略する。
【００６５】
（ステップＳ１１０１）個人情報受信部１０２０１は、情報受信装置１０３から個人情
報を受信したか否かを判断する。個人情報を受信すればステップＳ１１０２に行き、個人情報を受信しなければステップＳ１１０３に飛ぶ。
【００６６】
（ステップＳ１１０２）個人情報蓄積部１０２０２は、ステップＳ１１０１で受信した個人情報を、個人情報保持部１０２０３に蓄積する。ステップＳ１１０１に戻る。
【００６７】
（ステップＳ１１０３）グループ情報構成部１０２０４は、グループ情報を構成するか否かを判断する。グループ情報を構成するか否かの判断方法は種々ある。例えば、グループ情報構成部１０２０４は、一定数以上の個人情報が個人情報保持部１０２０３に存在する場合（一定数の個人情報が集まった場合）に、グループ情報を構成すると判断する。また、例えば、グループ情報構成部１０２０４は、定期的にグループ情報を構成しても良い。また、例えば、グループ情報構成部１０２０４は、個人情報受信部１０２０１が新しい個人情報を受信した場合に、グループ情報を構成しても良い。グループ情報を構成すると判断した場合はステップＳ１１０４に行き、グループ情報を構成しないと判断した場合はステップＳ１１０１に戻る。
【００６８】
（ステップＳ１１０４）カウンタｉに１を代入する。
【００６９】
（ステップＳ１１０５）グループ情報構成部１０２０４は、任意のパーソナルプロファイル情報から、ｉ番目のキーワードを取得する。なお、パーソナルプロファイル情報は、１以上のキーワードと選択率を示す情報を含む、とする。選択率を示す情報とは、例えば、実施の形態１で述べた「選択」「不選択」の情報である。選択率とは、キーワードを含む情報（データ）を、ユーザが選択した（例えば、表示した）率である。
【００７０】
（ステップＳ１１０６）グループ情報構成部１０２０４は、ｉ番目のキーワードが存在するか否かを判断する。ｉ番目のキーワードが存在すればステップＳ１１０７に行き、ｉ番目のキーワードが存在しなければ処理を終了する。
【００７１】
（ステップＳ１１０７）カウンタｊに１を代入する。
【００７２】
（ステップＳ１１０８）グループ情報構成部１０２０４は、ｊ番目のパーソナルプロファイル情報を取得する。
【００７３】
（ステップＳ１１０９）グループ情報構成部１０２０４は、ｊ番目のパーソナルプロファイル情報が存在するか否かを判断する。ｊ番目のパーソナルプロファイル情報が存在すればステップＳ１１１０に行き、ｊ番目のパーソナルプロファイル情報が存在しなければステップＳ１１１４に飛ぶ。
【００７４】
（ステップＳ１１１０）グループ情報構成部１０２０４は、ｊ番目のパーソナルプロファイル情報とｉ番目のキーワードを突き合わせる。
【００７５】
（ステップＳ１１１１）グループ情報構成部１０２０４は、ステップＳ１１１０でｊ番目のパーソナルプロファイル情報とｉ番目のキーワードを突き合わせた結果、所定の条件に合致するか否かを判断する。所定の条件に合致すればステップＳ１１１２に行き、所定の条件に合致しなければステップＳ１１１３に飛ぶ。なお、例えば、所定の条件とは、パーソナルプロファイル情報が、ｉ番目のキーワードを含む情報の選択率が７割以上である、ということを示していることである。
【００７６】
（ステップＳ１１１２）グループ情報構成部１０２０４は、グループ「ｉ番目のキーワード」にｊ番目のパーソナルプロファイル情報と対になる通知先情報を登録する。なお、ここでは、グループは、例えば、「キーワード」ごとに構成する、とする。ただし、グループの構成方法は問わない。
【００７７】
（ステップＳ１１１３）カウンタｊを１インクリメントする。ステップＳ１１０８に戻る。
【００７８】
（ステップＳ１１１４）グループ情報構成部１０２０４は、ステップＳ１１１２で登録した情報に基づいて、グループ情報を構成する。
【００７９】
（ステップＳ１１１５）グループ情報蓄積部１０２０５は、ステップＳ１１１４で構成したグループ情報を、グループ情報保持部２０１に蓄積する。
【００８０】
（ステップＳ１１１６）カウンタｉを１インクリメントする。ステップＳ１１０５に戻る。
【００８１】
次に、情報受信装置１０３の動作について説明する。情報受信装置１０３は、情報配信装置１０２から送信された情報を受信し、出力する。また、情報受信装置１０３は、管理している個人情報を情報配信装置１０２に送信する。情報受信装置１０３は、例えば、個人情報の変更があった場合に個人情報を送信しても良いし、定期的に、個人情報を送信しても良い。また、パーソナルプロファイル情報を含む個人情報は、情報受信装置１０３のユーザが、情報を閲覧したり、出力したり（選択）することにより変更され得る、とする。
【００８２】
以下、本実施の形態における情報配信システムの具体的な動作について説明する。情報配信システムの概念図は図３である。また、図１２は、情報受信装置が保持している個人情報の例である。個人情報は、パーソナルプロファイル情報と通知先情報を有する。情報受信装置は、例えば、定期的に、個人情報を情報配信装置に送信する。その結果、図１３に示すように、多数の個人情報が情報配信装置に蓄積される。
【００８３】
また、情報配信装置は、例えば、すべての情報受信装置から新しい個人情報を受信した場合に、以下のように、グループ情報を構成する。まず、情報配信装置は、キーワード「サッカー」を選択する。そして、情報配信装置は、第１番目の個人情報（図１３（ａ））が有するパーソナルプロファイル情報を読み出す。そして、情報配信装置は、第１番目の個人情報が、キーワード「サッカー」を含む情報の選択率が７割以上であるか否かを判断する。「２１０／（２１０＋３）」は７割以上であるので、グループ「サッカー」のグループ情報の中に、第１番目の個人情報が有する通知先情報「ｐｐｐ＠ａａａ．ｎｅ．ｊｐ」を登録する。次に、情報配信装置は、第２番目の個人情報（図１３（ｂ））が有するパーソナルプロファイル情報を読み出す。そして、情報配信装置は、第２番目の個人情報が、キーワード「サッカー」を含む情報の選択率が７割以上であるか否かを判断する。「１／（１＋１５２）」は７割以上でないので、グループ「サッカー」のグループ情報の中に、第２番目の個人情報が有する通知先情報「ｅｅｅ＠ｘｙｚ．ｃｏ．ｊｐ」を登録しない。以下、同様に、情報配信装置は、キーワード「サッカー」を含む情報の選択率が７割以上であるパーソナルプロファイル情報に対応する通知先情報を、グループ「サッカー」のグループ情報の中に登録する。以上の処理により、情報配信装置は、図１４に示すグループ「サッカー」のグループ情報を得る。グループ情報が有するパーソナルプロファイル情報は、ここではキーワードの「サッカー」である。つまり、自動的に、サッカー好きのグループが構成されたわけである。
【００８４】
次に、情報配信装置は、次のキーワード「日本代表」を選択する。そして、上記と同様に、情報配信装置は、グループ「日本代表」のグループ情報を構成する。また、同様に、情報配信装置は、すべてのキーワードに対応するグループのグループ情報を構成する。以上より、２以上の個人情報に基づいて、グループ情報が構成された。
【００８５】
次に、情報配信装置が、例えば、情報入力装置から、図６に示す情報１を受信した、とする。かかる場合、情報配信装置は、情報１を解析し、例えば、３度以上、出現している名詞を抽出する、とする。ここでは、「サッカー」「日本代表」が抽出された、とする。次に、情報配信装置は、「サッカー」をグループプロファイル情報に持つグループを検索する。そして、「サッカー」をグループプロファイル情報に持つグループが存在する場合、そのグループの通知先情報をすべて取得する。そして、情報配信装置は、取得した通知先情報で示される送信先に情報１を送信する。
【００８６】
次に、情報配信装置は、「日本代表」グループプロファイル情報に持つグループを検索する。そして、「日本代表」をグループプロファイル情報に持つグループが存在する場合
、そのグループの通知先情報をすべて取得する。そして、情報配信装置は、取得した通知先情報で示される送信先に情報１を送信する。
【００８７】
以上、本実施の形態によれば、情報配信装置において、少ない記憶容量で、多人数に、適切な情報を配信することができる。また、各個人のプロファイル情報を保持している場合と比較して、情報配信処理を高速に行うことができる。また、ダイナミックに変更される個人情報（パーソナルプロファイル情報）に対応した、適切な情報配信が可能となる。
【００８８】
なお、本実施の形態において、パーソナルプロファイル情報の内容やデータ構造は問わない。
【００８９】
また、本実施の形態において、パーソナルプロファイル情報からグループプロファイル情報を構成する方法は問わないことは言うまでもない。
【００９０】
さらに、本実施の形態における情報配信装置を実現するソフトウェアは、以下のようなプログラムである。つまり、このプログラムは、コンピュータに、２以上の個人情報から１以上のグループ情報を構成するグループ情報構成ステップと、構成したグループ情報を蓄積するステップと、情報を受け付ける情報受付ステップと、蓄積したグループプロファイル情報に基づいて情報を送信すべきグループを決定するグループ決定ステップと、グループ決定ステップで決定されたグループに属する各メンバーの通知先である２以上の通知先情報を取得する通知先情報取得ステップと、通知先情報取得ステップで取得した２以上の通知先情報が示す通知先に、情報受付ステップが受け付けた情報を送信する情報送信ステップを実行させるためのプログラムである。また、さらに、個人情報を受信する個人情報受信ステップと、当該受信した個人情報を蓄積する個人情報蓄積ステップをも実行させるプログラムである。
【産業上の利用可能性】
【００９１】
以上のように、本発明にかかる情報配信装置は、少ない記憶容量で、多人数に、適切な情報を配信できるという効果を有し、例えば、アプリケーションサービスプロバイダーの情報配信装置等として有用である。
【図面の簡単な説明】
【００９２】
【図１】実施の形態１に係る情報配信システムの構成を示すブロック図
【図２】実施の形態１に係る情報配信装置の動作について説明するフローチャート
【図３】実施の形態１に係る情報配信システムの概念図
【図４】実施の形態１に係るグループプロファイル情報の例を示す図
【図５】実施の形態１に係る通知先情報管理表を示す図
【図６】実施の形態１に係る配信される情報の例を示す図
【図７】実施の形態１に係る情報の出力例を示す図
【図８】実施の形態１に係る配信される情報の例を示す図
【図９】実施の形態１に係る配信される情報の例を示す図
【図１０】実施の形態２に係る情報配信システムの構成を示すブロック図
【図１１】実施の形態２に係る情報配信装置の動作について説明するフローチャート
【図１２】実施の形態２に係る個人情報の例を示す図
【図１３】実施の形態２に係る蓄積された個人情報を示す図
【図１４】実施の形態２に係るグループ情報の例を示す図
【符号の説明】
【００９３】
１  情報入力装置
２、１０２  情報配信装置
３、１０３  情報受信装置
１１  情報入力受付部
１２  ユーザ側情報送信部
２０１  グループ情報保持部
２０２  情報受付部
２０３  グループ決定部
２０４  通知先情報取得部
２０５  情報送信部
３０１  情報受信部
３０２  情報出力部
１０２０１  個人情報受信部
１０２０２  個人情報蓄積部
１０２０３  個人情報保持部
１０２０４  グループ情報構成部
１０２０５  グループ情報蓄積部
１０３０１  個人情報管理部
１０３０２  個人情報送信部
【図１】
2005078411.tif 000003
【図２】
2005078411.tif 000004
【図３】
2005078411.tif 000005
【図４】
2005078411.tif 000006
【図５】
2005078411.tif 000007
【図６】
2005078411.tif 000008
【図７】
2005078411.tif 000009
【図８】
2005078411.tif 000010
【図９】
2005078411.tif 000011
【図１０】
2005078411.tif 000012
【図１１】
2005078411.tif 000013
【図１２】
2005078411.tif 000014
【図１３】
2005078411.tif 000015
【図１４】
2005078411.tif 000016